(57)【要約】同じボルスターパッドを右又は左の脚のいずれにも使用することを可能にする膝支持具は、男女間の異なる角度を補償するように調整可能であり、各患者の快適性に合わせた個々の調整、並びに適正なフィット及びジョイントのアライメントのための支持具回転を可能にする。これらの特性は、支持具が左脚用か右脚用かに応じて、脛クロス片のいずれの側でもさまざまな位置に選択的に装着可能である曲線状のボルスターによって得られ、ボルスターは、膝の内側に常にあって脛の前部のフラットなセクションと接触し、それによって支持具の望ましくない回転を最小限に抑える。ボルスターパッドは、クロス片の内側の曲率に合わせられた曲率を持つ前面と、脛の前部と接触するような後側のフラット部とを有する。
2014526948.tif 000002
【特許請求の範囲】
【請求項１】
内側頸骨部アームと、
外側頸骨部アームと、
内側大腿部アームと、
外側大腿部アームと、
内側大腿部アーム及び外側大腿部アームを連結する上側クロス片と、
内側頸骨部アーム及び外側頸骨部アームを連結する下側クロス片と、
外側大腿部アーム及び外側頸骨部アームを連結するヒンジ機構と、
内側大腿部アーム及び内側頸骨部アームを連結するヒンジ機構と、
クロス片の内側の曲率にマッチする曲率を持つ前面を有する発泡材料で作られた円形扇形状のパッド又はボルスターと、
パッド又はボルスターを下側クロス片の内側に対して様々な角度位置のうちのいずれかの位置で保持する構成体と、を備える膝支持具。
【請求項２】
ボルスターを下側クロス片の内側に対して保持する前記構成体は、パッド又はボルスター上に、下側クロス片の内側半分に配置される穴のセットのいずれか一つに対して選択的に適合可能なピンを有する請求項１に記載の膝支持具。
【請求項３】
ボルスターを下側クロス片の内側に対して保持する前記構成体は、下側クロス片の内側半分に沿って延在するスロットに沿った様々な位置のいずれかに選択的に配置可能なパッド又はボルスター上のピンと、選択された位置にパッド又はボルスターを固定するための留め具と、を有する請求項１に記載の膝支持具。
【請求項４】
ボルスターを下側クロス片の内側に対して保持する前記構成体は、両面接着テープ片を有する請求項１に記載の膝支持具。
【請求項５】
前記パッド又はボルスターは、密度の異なる複数のボルスターのうちの一つであり、個別のユーザに快適なフィットを与えるのに役立つように当該複数のボルスターの各々は下側クロス片に対して選択的に取り付け可能である請求項１に記載の膝支持具。
【発明の詳細な説明】
【技術分野】
【０００１】
関連出願の相互参照
本出願は、米国特許仮出願第６１／５３５，３９７号の非仮出願への転換である。
【０００２】
本発明は、矯正用膝支持具に関し、特にそのような支持具のためのパッド及びボルスターに関する。
【背景技術】
【０００３】
整形外科用支持具のストラップ及びクロス部材上でのパッドの使用。たとえば、ＧＥＮＥＲＡＴＩＯＮ  ＩＩ  ＵＳＡ  ＩＮＣに譲渡された「Ａｎａｔｏｍｉｃａｌｌｙ  ｄｅｓｉｇｎｅｄ  ｏｒｔｈｏｐｅｄｉｃ  ｋｎｅｅ  ｂｒａｃｅ」の表題の特許文献１は、装着者の膝の移動をコントロールするための整形外科用膝支持具について論じている。ふともも及びふくらはぎの係合部材は、軟質の圧縮可能な材料、ループ材料、及び親水性で通気性の良い材料を含む積層組み合わせ体から作られている。軟質の圧縮可能なタイプの材料は、圧力分布に順応し、半楕円形状で設けられて、軟質の圧縮可能な材料から作製されるふともも係合部材及びふくらはぎ係合部材によって装着者の脚部に局所的な圧力ポイントをもたらすことなく様々な脚形状に適応する。この説明は、フック及びループタイプの材料が部材をクロス片に取り付けるために使用されることを示しているようである。しかしながら、可変の位置決め能力は説明されておらず、又は得ることができないのは明らかであり、ふくらはぎクロス片に関する使用も提案されていない。
【０００４】
Ｒｉｃｈａｒｄ  Ａ．  Ｎａｃｅによって発明された「Ｏｓｔｅｏａｒｔｈｒｉｔｉｓ  ｋｎｅｅ  ｏｒｔｈｏｓｉｓ」の表題の特許文献２では、膝の変形性関節症を患う患者の膝関節を治療するための改良された変形性関節症用の膝支持具が開示されている。膝支持具は、後部ふくらはぎストラップ上における軟質の調整可能なクッションパッドも含む。軟質の調整可能なクッションパッドは、患者の皮膚にかかる潜在的な圧力及びせん断を解消することが意図され、フック及びループタイプの締結材料によってストラップに取り付けられる。しかしながら、パッドは、その位置決めを変更することを不可能にする長さのものであり、ふくらはぎクロス片に関する使用も提案されていない。
【０００５】
Ｔｈｅｏｄｏｒｅ  Ｂ．  Ｈｏｇｇによって発明された「Ｌｅｇ  ｂｒａｃｅ  ｓｕｐｐｏｒｔ  ｓｔｒｕｃｔｕｒｅ」の表題の特許文献３は、整形外科用脚支持具と、装着者の脚に支持をもたらす改良された長手方向の支持構造とを開示する。この特許は、一方の端部がねじによってクロス片に取り付けられ、フック及びループタイプの連結を介してその他方の端部がストラップに取り付けられるパッドを示す。クロス片の一方の端部は、いくつかの組の穴を有し、特定の１つの組の穴を選択することによって垂直支柱上でクロス片の位置を調整することを可能にする。しかしながらこのパッドは、足首領域用であり、平坦な輪郭を有しており、調整可能な位置決め用には設計されていない。
【先行技術文献】
【特許文献】
【０００６】
【特許文献１】米国特許第６，９６９，３６４号
【特許文献２】米国特許第７，９６３，９３３号
【特許文献３】米国特許第６，５２４，２６５号
【特許文献４】米国特許第６，９８１，９５７号
【発明の概要】
【発明が解決しようとする課題】
【０００７】
本発明は、同じボルスターパッドを右脚及び左脚のいずれにも使用することを可能にするように設計され、男女間における異なる角度を補償するように調整可能であり、各患者の快適性に合わせた個々の調整並びに適正なフィット及びジョイントのアライメントのための支持具回転を可能にする。
【課題を解決するための手段】
【０００８】
上記の特徴は、支持具が左脚用か右脚用かに応じて、脛クロス片のどちらの側においてもさまざまな位置で選択的に装着することができ体に合うように形成されるボルスターによって得られ、ボルスターは、常に脛の内側にあって脛のフロントのフラットセクションと接触し、それによって支持具の望ましくない回転を最小限に抑える。
【図面の簡単な説明】
【０００９】
【図１】すべての後部ストラップが取り外された、本発明による膝支持具の部分前面図である。
【図２】本発明による膝支持具の前部斜視図である。
【図３】すべての後部ストラップが取り外された、本発明による膝支持具の部分後面図である。
【図４】すべての後部ストラップが取り外された、本発明による膝支持具の部分側面図である。
【図５】図２と同様の図であるが、装着直前のボルスターを示す図である。
【図６】図５に示す支持具及びボルスターの後部斜視図である。
【図７】図５に示す支持具及びボルスターの上面図である。
【図８】ボルスターが装着された支持具の上面図である。
【図９】本発明の脛クロス部材の斜視図である。
【図１０（ａ）】本発明のボルスターの後面図である。
【図１０（ｂ）】本発明のボルスターの後部斜視図である。
【図１０（ｃ）】本発明のボルスターの上部平面図である。
【図１０（ｄ）】本発明のボルスターの側面図である。
【図１１（ａ）】ボルスターが取り付けられていない脛クロス部材の平面図である。
【図１１（ｂ）】様々な位置に取り付けられたボルスターを伴う脛クロス部材の平面図である。
【図１１（ｃ）】様々な位置に取り付けられたボルスターを伴う脛クロス部材の平面図である。
【図１１（ｄ）】様々な位置に取り付けられたボルスターを伴う脛クロス部材の平面図である。
【図１１（ｅ）】様々な位置に取り付けられたボルスターを伴う脛クロス部材の平面図である。
【図１１（ｆ）】様々な位置に取り付けられたボルスターを伴う脛クロス部材の平面図である。
【図１１（ｇ）】様々な位置に取り付けられたボルスターを伴う脛クロス部材の平面図である。
【図１１（ｈ）】様々な位置に取り付けられたボルスターを伴う脛クロス部材の平面図である。
【図１１（ｉ）】様々な位置に取り付けられたボルスターを伴う脛クロス部材の平面図である。
【発明を実施するための形態】
【００１０】
最初に、図に示される矯正用膝支持具は、説明的な例に過ぎず、本発明の以下の説明は、本発明者の特許文献４のものなどの、数多くの他のタイプの膝支持具に適用可能であるとみなされるべきであることに留意される。図から分かるように、典型的には、膝支持具１は、内側及び外側の大腿部アーム５を連結する上側クロス片３と、内側及び外側の脛骨部アーム９を連結する下側クロス片７と、外側の大腿部アームと脛骨部アームとを連結し、内側の大腿部アームと脛骨部アームとを連結するヒンジ機構１１とを有する。支持具を装着者の脚に保持するためにクロス片の内側及び外側並びに／又は内側及び外側の大腿部アーム及び脛骨部アームに連結する上側及び下側の後部ストラップは図示されていない。
【００１１】
次に、本発明が典型的な膝支持具から逸脱するところが、説明される。
【００１２】
図に示されるように、下側すなわち脛クロス片７は２つのセットの穴１４を有し、各側部における１つのセットは、対応する外側又は内側の脛骨部アーム９の近くにある。しかしながら、クロス片の両側に穴１４を設けるのは、１つのクロス片が左及び右の両方の脚支持具で使用可能であることを可能にするためである。所与のケースでは、ボルスターが脛の前部のフラットなセクションと接触し、それによって支持具の望ましくない回転を最小限に抑えるため、ユーザの脚の内側に位置する穴だけが使用に適している。
【００１３】
かなり高い密度の発泡材料から作られる円形扇形状のパッド又はボルスター１６は、その前面の中心から突出する装着ピン１８を有する。ピン１８は、穴１４のいずれかにはめ込まれるようにサイズが設定され、穴１４の選択された１つでの摩擦嵌合によって保持されるが、ボルスターが従来のクロス片クッションパッドによって覆われている場合、パッド及び脚がボルスターをクロス片に押し付けて保持し、それにより、ボルスターとクロス片との間のしっかりした直接的な取り付けは必要とされず、たとえばピンは摩擦嵌合無しで穴にフィット（適合）することができ、又は両面接着テープ片を使用してボルスターを配置し、クロス片に押し付けて保持することができる。ボルスター１６の前面の曲率は、クロス片７の内側の曲率にマッチ（適合）されている。
【００１４】
ピン１８は、例えばプレートに取り付けられることによって又はボルスターの材料に埋め込まれた径方向に突出するアームを有することによって等の様々な方法で、ボルスターに固定することができる。あるいは、ピンは、ボルスターの高密度の発泡材料のオーバーモールドされたウレタンのカバリングの一部になることができる。
【００１５】
摩擦嵌合のピン連結を用いる代わりに、穴のセットの各々をスロットに置き換えて、位置決め調整をより細かい度合いにすることができる。そのような場合、留め具が、ボルスター１６を適所に固定するために必要とされる。たとえば、ピンは、クロス片７の反対側から突出するのに十分な長さで作製されることができ、このとき突出する端部は、ボルスターを適所に保持するために締めることができるウイングナットや他の留め具を受け止めるようにねじ切りされる。
【００１６】
左の脛骨クロス片７を示す図１１から分かるように、適切な穴１４を選択することにより、ボルスター１６は、さまざまな角度位置のいずれかの位置でクロス片７の内側に装着可能である。この点に関して、図示する位置は代表的なものにすぎず、さまざまな他の角度位置を得ることができる。上述のように、クロス片７の両側に穴を設けることにより、同じクロス片を左右両方の膝支持具に使用することができ、そのため、図１１（ｂ）〜図１１（ｅ）は左脚用の位置を表しており、一方で図１１（ｆ）〜図１１（ｉ）は右脚用の位置を表している。さらに、ボルスター位置のその調整機能は、男女間の異なる角度を考慮することを可能にし、また、各患者の快適性に合わせた個々の調整、並びに適正なフィット及びジョイントのアライメントのために支持具の回転を最小限に抑えることを可能にする。
【００１７】
ボルスター１６のサイズは、支持具のサイズに基づく。所与のサイズのボルスターだけが特定の支持具に適切になることができるが、特定のユーザに合わせた快適な適合をもたらすことを補助するために、さまざまな密度のボルスターが各支持具に設けられてよいことが予期される。
【図１】
2014526948.tif 000003
【図２】
2014526948.tif 000004
【図３】
2014526948.tif 000005
【図４】
2014526948.tif 000006
【図５】
2014526948.tif 000007
【図６】
2014526948.tif 000008
【図７】
2014526948.tif 000009
【図８】
2014526948.tif 000010
【図９】
2014526948.tif 000011
【図１０（ａ）】
2014526948.tif 000012
【図１０（ｂ）】
2014526948.tif 000013
【図１０（ｃ）】
2014526948.tif 000014
【図１０（ｄ）】
2014526948.tif 000015
【図１１（ａ）】
2014526948.tif 000016
【図１１（ｂ）】
2014526948.tif 000017
【図１１（ｃ）】
2014526948.tif 000018
【図１１（ｄ）】
2014526948.tif 000019
【図１１（ｅ）】
2014526948.tif 000020
【図１１（ｆ）】
2014526948.tif 000021
【図１１（ｇ）】
2014526948.tif 000022
【図１１（ｈ）】
2014526948.tif 000023
【図１１（ｉ）】
2014526948.tif 000024
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
内側頸骨部アームと、
外側頸骨部アームと、
内側大腿部アームと、
外側大腿部アームと、
内側大腿部アーム及び外側大腿部アームを連結する上側クロス片と、
内側頸骨部アーム及び外側頸骨部アームを連結する下側クロス片と、
外側大腿部アーム及び外側頸骨部アームを連結するヒンジ機構と、
内側大腿部アーム及び内側頸骨部アームを連結するヒンジ機構と、
下側クロス片の内側の曲率にマッチする曲率を持つ前面と、支持具の回転を最小化するために装着者の脛のフロントにおけるフラットセクションに対してフィットするようにフラットである脚面サイドと、を有する発泡材料で作られた円形扇形状のパッド又はボルスターと、
下側クロス片の内側半分で、パッド又はボルスターを下側クロス片の内側に対して様々な角度位置のうちのいずれかの位置で保持する構成体と、を備える膝支持具。
【請求項２】
ボルスターを下側クロス片の内側に対して保持する前記構成体は、パッド又はボルスター上に、下側クロス片の内側半分に配置される穴のセットのいずれか一つに対して選択的に適合可能なピンを有する請求項１に記載の膝支持具。
【請求項３】
ボルスターを下側クロス片の内側に対して保持する前記構成体は、下側クロス片の内側半分に沿って延在するスロットに沿った様々な位置のいずれかに選択的に配置可能なパッド又はボルスター上のピンと、選択された位置にパッド又はボルスターを固定するための留め具と、を有する請求項１に記載の膝支持具。
【請求項４】
ボルスターを下側クロス片の内側に対して保持する前記構成体は、両面接着テープ片を有する請求項１に記載の膝支持具。
【請求項５】
前記パッド又はボルスターは、密度の異なる複数のボルスターのうちの一つであり、個別のユーザに快適なフィットを与えるのに役立つように当該複数のボルスターの各々は下側クロス片に対して選択的に取り付け可能である請求項１に記載の膝支持具。
【国際調査報告】
2014526948.tif 000025